(57)【要約】【課題】液晶表示装置を備える遊技機において、簡易な構成で液晶表示装置と制御基板とケースの固定を行うとともにこれらを固定する際の作業性を向上させる。【解決手段】遊技盤面上に配置される表示面を有する液晶表示装置と、液晶表示装置の表示制御を行う制御基板と、開口面を有する箱形に形成され、液晶表示装置と制御基板とを収納可能なケースとを備える遊技機において、液晶表示装置と制御基板の間に配置され、液晶表示装置と制御基板のそれぞれが固定されるとともに、液晶表示装置と制御基板を収納した状態のケースが固定される固定部材を設け、この固定部材に、ケースに液晶表示装置と制御基板を収納する際に、固定部材に固定される固定位置にケースを案内し、固定位置でケースを停止させる位置決め手段を設ける。【選択図】図７
2008000311.tif 000002
【特許請求の範囲】
【請求項１】
任意の情報を表示可能であり、遊技盤面上に配置される表示面を有する液晶表示装置と、
前記液晶表示装置の表示制御を行う制御基板と、
開口面を有する箱形に形成され、前記液晶表示装置と前記制御基板とを収納可能なケースと、
前記液晶表示装置と前記制御基板の間に配置され、前記液晶表示装置と前記制御基板のそれぞれが固定されるとともに、前記液晶表示装置と前記制御基板を収納した状態の前記ケースが固定される固定部材とを備え、
前記固定部材には、前記ケースに前記液晶表示装置と前記制御基板を収納する際に、前記固定部材に固定される固定位置に前記ケースを案内し、前記固定位置で前記ケースを停止させる位置決め手段が設けられていることを特徴とする遊技機。
【請求項２】
前記ケースの側面には、前記開口面に連通する切り欠き部が設けられ、
前記位置決め手段は、前記切り欠き部に対応して設けられた位置決め部であり、
前記ケースに前記液晶表示装置と前記制御基板を収納する際に、前記切り欠き部に前記位置決め部が嵌り込み、前記ケースは前記位置決め部に沿って移動することを特徴とする請求項１に記載の遊技機。
【請求項３】
前記固定部材の両端は、前記ケースの対向する側面のそれぞれに接触可能となっているとともに、前記固定部材の一端側には突起部が設けられ、前記固定部材の他端側にはネジが取り付けられるネジ受け部が設けられており、
前記ケースの対向する側面のうち前記突起部に対応する部位には、前記突起部が係合する係合孔が設けられており、
前記ケースの対向する側面のうち前記ネジ受け部に対応する部位は、前記係合孔に前記突起部が係合した状態で、締める方向のみに回転するワンウェイネジにより前記固定部材の前記ネジ受け部にネジ止めされて固定されることを特徴とする請求項１または２に記載の遊技機。
【請求項４】
前記ケースにおけるワンウェイネジにて固定される部位の周囲には、複数の貫通孔が連続的に設けられており、前記複数の貫通孔を連通させることで前記ケースを前記固定部材から分離することが可能であることを特徴とする請求項３に記載の遊技機。
【請求項５】
前記複数の貫通孔は、前記液晶表示装置と前記制御基板が収納された前記ケース内で発生した熱を外部に放出することが可能であることを特徴とする請求項４に記載の遊技機。
【発明の詳細な説明】
【技術分野】
【０００１】
本発明は、パチンコ遊技機、組合せ式遊技機（アレンジボール遊技機）等の遊技機に関し、特に液晶表示装置を備える遊技機に関する。
【背景技術】
【０００２】
遊技機では、遊技の進行に応じて多彩な演出表示を行うために液晶表示装置を設けることが一般的になっている。また、遊技機の制御基板はＲＯＭの不正交換などの不正行為を防止するために全体を透明ケースで覆う必要があり、液晶表示装置と液晶表示装置における画面表示を制御する制御基板が別体に構成された透明ケースに収納することが行われている。
【０００３】
液晶表示装置は液晶表示素子やバックライトなどを備えており、比較的大きなサイズ（例えば８インチ以上）の液晶表示装置では発熱量が大きくなりやすいため、制御基板を液晶表示装置と別体に構成されたケースに収納することが望ましい。しかしながら、液晶表示装置が比較的小さなサイズ（例えば５．６インチ以下）の場合は発熱量が小さいため、液晶表示装置と制御基板とケースを一体に形成してこれらの設置スペースを小さくすることが提案されている（特許文献１参照）。
【特許文献１】特開２００１−３１１９４１号公報
【発明の開示】
【発明が解決しようとする課題】
【０００４】
しかしながら、特許文献１の構成では、液晶表示装置と制御基板とケースを固定するための部品が多数になっているため、液晶表示装置と制御基板を固定してケースに収納する際の組み付け作業性がよくないという問題があった。また、特許文献１の構成は、不正なＲＯＭ交換に対してまったく配慮されていないという問題もあった。ここで、図柄制御に用いられる制御基板は、主制御基板や払出制御基板と比べて遊技者の利益に直接関係するものではないので、簡易な構成で不正防止可能な封止構造を実現することが望ましい。
【０００５】
本発明は上記点に鑑み、液晶表示装置を備える遊技機において、簡易な構成で液晶表示装置と制御基板とケースの固定を行うとともに、これらを固定する際の作業性を向上させることを目的とする。さらに、本発明は、簡易な封止構造を提供することを他の目的とする。
【課題を解決するための手段】
【０００６】
上記目的を達成するため、本発明は、任意の情報を表示可能であり、遊技盤面上に配置される表示面を有する液晶表示装置と、液晶表示装置の表示制御を行う制御基板と、開口面を有する箱形に形成され、液晶表示装置と制御基板とを収納可能なケースと、液晶表示装置と制御基板の間に配置され、液晶表示装置と制御基板のそれぞれが固定されるとともに、液晶表示装置と制御基板を収納した状態のケースが固定される固定部材とを備え、固定部材には、ケースに液晶表示装置と制御基板を収納する際に、固定部材に固定される固定位置にケースを案内し、固定位置でケースを停止させる位置決め手段が設けられていることを特徴としている。
【０００７】
これにより、１つの固定部材で液晶表示装置と制御基板とケースを固定することができ、簡易な構成で液晶表示装置と制御基板を一体化して制御基板ケースに収納することができる。また、固定部材に位置決め手段を設けることで、固定部材に対するケースの位置決めを容易に行うことができ、ケースの組み付け作業を容易に行うことができる。
【０００８】
また、ケースの側面には、開口面に連通する切り欠き部が設けられ、位置決め手段は、切り欠き部に対応して設けられた位置決め部であり、ケースに液晶表示装置と制御基板を収納する際に、切り欠き部に位置決め部が嵌り込み、ケースは位置決め部に沿って移動するように構成できる。
【０００９】
また、固定部材の両端は、ケースの対向する側面のそれぞれに接触可能となっているとともに、固定部材の一端側には突起部が設けられ、固定部材の他端側にはネジが取り付けられるネジ受け部が設けられており、ケースの対向する側面のうち突起部に対応する部位には、突起部が係合する係合孔が設けられており、ケースの対向する側面のうちネジ受け部に対応する部位は、係合孔に突起部が係合した状態で、締める方向のみに回転するワンウェイネジにより固定部材のネジ受け部にネジ止めされて固定されるようにすることができる。
【００１０】
これにより、ケースに液晶表示装置と制御基板を収納した際に、ケース側面が固定部材に係止されることで仮固定されるので、ケースを組み付ける際の作業性を向上させることができる。また、仮固定されたケース側面の反対側の側面をワンウェイネジにより固定部材にネジ止めすることで、簡易に封止構造を実現することができる。
【００１１】
また、ケースにおけるワンウェイネジにて固定される部位の周囲には、複数の貫通孔が連続的に設けられており、複数の貫通孔を連通させることでケースを固定部材から分離することが可能であるようにすることができる。これにより、簡易に開封構造を実現することができる。
【００１２】
また、複数の貫通孔は、液晶表示装置と制御基板が収納されたケース内で発生した熱を外部に放出することが可能とすることで、ケース内に熱がこもることを抑制できる。
【発明を実施するための最良の形態】
【００１３】
（第１実施例）
以下、本発明の実施形態を示す第１実施例について図面を用いて説明する。本発明の遊技機をパチンコ遊技機（以下、単に遊技機という）に適用した実施例を図１〜図１０に示す。
【００１４】
図１は、本実施例の遊技機１の正面図である。図１に示すように、遊技機１の前面部は、本体枠２、中枠３、前面枠４、上皿部５、下皿部６、施錠装置９、遊技盤２０等を備えている。なお、図１では遊技盤２０の詳細な図示を省略している。また、中枠３は前面枠４等が前面側に配置されているため、図１においては明示されていない。
【００１５】
本体枠２は木製の板状体を略長方形の枠状に組立てたものであり、遊技機１の外枠を構成している。中枠３はプラスチック製であり、本体枠２の内側にはめ込まれて設置されており、外枠２に対して開閉可能に左端で軸支されている。中枠３は、上側２／３程度を占める枠体部と下側１／３程度を占める下板部とから構成されている。枠体部の前面側には遊技盤２０と前面枠４とが重なるように設けられており、下板部の前面側には上皿部５と下皿部６が設けられている。
【００１６】
下板部には、遊技球を遊技盤２０に発射する発射手段を構成する発射装置ユニット（図示略）、遊技球を発射装置ユニットに供給する球送り装置（図示略）が設けられている。さらに下板部には、図示を省略しているが、発射装置ユニット１０に供給される遊技球を検知する球送りカウントスイッチ、発射装置ユニット１０から発射される遊技球を検知する発射球カウントスイッチ、発射装置ユニット１０から発射された遊技球のうち遊技盤２０面に到達しなかった遊技球を検知するファール球検出スイッチが設けられている。さらに、下板部には、遊技状態に応じた効果音等を発生させるスピーカ（図示略）が設けられている。
【００１７】
前面枠４は、中枠３の前面側に配置され、中枠３の左端で開閉可能に支持されている。前面枠４はプラスチック製であり、奥側に配置される遊技盤２０の盤面を視認可能にするために、円形状の開口部４ａが形成されている。前面枠４の裏面には、開口部４ａに対応したガラス板等の透明板を備える略長方形状の透明板枠（図示略）が装着されている。
【００１８】
前面枠４には、遊技効果等のためのランプ類として、左ＬＥＤ表示部４ｂ、右ＬＥＤ表示部４ｃ、左上ＬＥＤ表示部４ｄ、右上ＬＥＤ表示部４ｅ、上ＬＥＤ表示部４ｆが設けられている。左ＬＥＤ表示部４ｂと右ＬＥＤ表示部４ｃは、開口部４ａの周囲の右側と左側にそれぞれ円弧状に設けられている。左上ＬＥＤ表示部４ｄは左ＬＥＤ表示部４ａの左上方に設けられ、右上ＬＥＤ表示部４ｅは右ＬＥＤ表示部４ｃの右上方に設けられている。上ＬＥＤ表示部４ｆは円形状に形成され、左ＬＥＤ表示部４ｂの上端部と右ＬＥＤ表示部４ｃの上端部との間に２個設けられている。これらのＬＥＤ表示部４ａ〜４ｆは、遊技効果を高めるためにゲーム進行に応じて点灯・消灯あるいは点滅する。
【００１９】
また、２個の上ＬＥＤ表示部４ｆの間には、２個の賞球ＬＥＤ表示部４ｇが設けられている。賞球表示ＬＥＤ表示部４ｇの上方には、扇形のエラーＬＥＤ表示部４ｈが設けられている。
【００２０】
上皿部５は、前面枠４の下側に設けられ、中枠３の左端に開閉可能に支持されている。上皿部５は、遊技球の貸球ボタンや返却ボタン等が配設された皿外縁部５ａと、遊技機１の内部から遊技球を排出するための排出口５ｂと、上皿部５の遊技球を下皿部６に排出する球抜きボタン５ｃとを備えている。
【００２１】
また、上皿部５には、２つの演出スイッチ５ｄ、５ｅが設けられている。遊技者は、これらの演出スイッチ５ｄ、５ｅを用いて演出用キャラクタの選択等を行い、演出に変化を付与することができる。
【００２２】
さらに、上皿部５の略中央部には複数の長孔とその上部に多数の小穴が形成された第１音声出力部５ｆが形成されている。上皿部５の裏面には音量スイッチ基板（図示略）が設けられている。
【００２３】
下皿部６は、上皿部５の下方に設けられている。下皿部６の略中央には、遊技機１の内部から遊技球を排出するための排出口６ａが設けられている。また、下皿部６の底面には図示しない球抜き穴が設けられている。球抜き穴は通常時には閉鎖しており、下皿部６に貯留された遊技球を排出する際に開放する。
【００２４】
下皿部６の略中央手前側には、球抜き穴を開閉させる排出ノブ６ｂが設けられている。排出ノブ６ｂは、下皿部６の周縁部の一部を構成している。排出ノブ６ｂは、通常時は直立状態であり、下端を回転軸として上端を手前側に倒すように回動可能となっている。球抜き穴は排出ノブ６ｂに連動しており、排出ノブ６ｂが直立状態のときには球抜き穴は閉鎖しており、排出ノブ６ｂを手前側に倒すことで球抜き穴は開放する。下皿部６における排出ノブ６ｂの右側および左側の下面には、第２音声出力部６ｃが設けられている。
【００２５】
下皿部６の右端には、遊技者が発射装置ユニット（図示略）を操作するための発射ハンドル８が設けられている。発射ハンドル８には、遊技者が触れていることを検出する接触検知手段としてのタッチスイッチ８ａが設けられている。発射ハンドル８の左側面には、遊技者が操作して遊技球の発射を一時的に停止する発射停止スイッチ８ｂが配置されている。なお、本実施例の発射停止スイッチ８ｂは、タッチスイッチ回路内に設けられており、タッチスイッチ８ａと電気的に直列接続されている。
【００２６】
施錠装置９は、中枠３の右端中央に設けられており、前面枠４を閉じた場合にこれを施錠するためのものである。また、遊技機１の左側には、プリペイドカードユニット１３（ＣＲユニット）が装着されている。
【００２７】
次に、本実施例の遊技盤２０の表面構造について図２を参照して説明する。図２は遊技盤２０の正面図である。遊技盤２０は、略長方形の木製の板状体であって中枠３に表面側に着脱可能に取り付けられているとともに、後述する裏機構盤１０２（図３参照）によりその背面側が覆われている。
【００２８】
図２に示すように、遊技盤２０には、遊技盤２０の表面に設けられた外レール２２と内レール２３とにより略円形状の遊技領域２１が形成されている。遊技領域２１内には、第１図柄表示装置２４、第２図柄表示装置２５、普通図柄作動ゲート２６、始動口（普通電動役物）２８、大入賞装置（特別電動役物）３３、左入賞口３４、３５、右入賞口３６、３７等の遊技装置が配設されている。なお、図示を省略しているが、遊技領域２１には各遊技装置との位置バランスを考慮して多数の障害釘が配設されている。
【００２９】
図２に示すように、第１図柄表示装置２４は遊技領域２１の略中央部に配置されており、第１図柄表示装置２４の上方に第２図柄表示装置２５が配置されている。これらの図柄表示装置２４、２５は、遊技の進行に応じて種々の図柄表示が可能な表示領域を有する表示装置である。本実施例では、第１図柄表示装置２４と第２図柄表示装置２５で画面表示サイズが異なっており、第１図柄表示装置２４として８インチの液晶表示装置を用い、第２図柄表示装置２５として第１図柄表示装置２４より小さい５．６インチの液晶表示装置を用いている。第１演出図柄表示装置２４としては、例えば解像度が８００×６００ドットであるＳＶＧＡ（Super Video Graphics Array）の液晶表示装置を用いることができ、第２演出図柄表示装置２５としては、例えば解像度が６４０×４８０ドットであるＶＧＡ（Video Graphics Array）の液晶表示装置を用いることができる。
【００３０】
第１図柄表示装置２４と第２図柄表示装置２５では、表示内容が異なっており、第１図柄表示装置２４では普通図柄と特別図柄の表示が行われ、第２図柄表示装置２５では演出用キャラクタや演出用メッセージといった種々の演出表示が行われる。第２図柄表示装置２５における演出表示は、遊技の進行に応じて行われる。
【００３１】
普通図柄作動ゲート２６は、第１図柄表示装置２４の左側に設けられている。普通図柄作動ゲート２６の内部には、遊技球の通過を検知する普通図柄作動ゲート検知スイッチ２６ｓが設けられている。普通図柄作動ゲート２６を遊技球が通過することにより、第１図柄表示装置２４では普通図柄の変動表示を開始する。
【００３２】
第１図柄表示装置２４では、普通図柄を複数の表示態様で表示することができる。第１図柄表示装置２４では、普通図柄作動ゲート２６を遊技球が通過することにより普通図柄が変動開始し、所定時間経過後に普通図柄が当り図柄の組合せあるいは外れ図柄の組合せで停止表示される。そして、普通図柄が予め設定された当り図柄の組合せで停止表示すると、始動口（普通電動役物）２８が所定時間（例えば０．５秒）開放される。
【００３３】
始動口２８は、図２に示すように第１図柄表示装置２４の中央位置の下方に設けられている。始動口２８は、いわゆるチューリップ式で左右に一対の翼片部が開閉するように形成されている。始動口２８の内部には、遊技球の通過を検知する始動口入賞検知スイッチ（図示略）と、翼片部を作動させるための始動口ソレノイド（図示略）とが備えられている。この一対の翼片部が左右に開くと、遊技球の入球可能性が大きくなる開放状態となり、一対の翼片部が立設され、遊技球の入球可能性が小さくなる通常状態となる。
【００３４】
第１図柄表示装置２４では、特別図柄を複数の表示態様で表示することができる。第１図柄表示装置２４では、遊技球が始動口２８に入球することで、特別図柄が変動表示を開始し、所定時間経過後に特別図柄が当り図柄の組合せあるいは外れ図柄の組合せで停止表示される。そして、特別図柄が予め設定された当り図柄の組合せで停止表示すると、後述の大入賞装置（特別電動役物）３３が作動開始する。
【００３５】
大入賞装置３３は、上記始動口２８の下方に配設されている。ここで、大入賞装置３３は、帯状に開口された大入賞口３３ａと、この大入賞口３３ａを開放・閉鎖する開閉板３３ｂと、開閉板３３ｂを開閉するための大入賞口ソレノイド（図示略）と、入賞球を検知する入賞球検知スイッチ（図示略）とから主に構成されている。
【００３６】
第１図柄表示装置２４で停止表示した特別図柄が特定図柄であった場合、特別遊技状態発生手段としての主制御部２００は遊技者に相対的に有利な特別遊技機状態を発生させる。特別遊技機状態は、大入賞装置３３を作動させることで、大入賞口３３ａへの遊技球の入球に関して遊技者に利益を付与するものである。
【００３７】
大入賞装置３３の作動開始により、大入賞口３３ａが開放して遊技球受入状態となる。この遊技球受入状態は、所定の終了条件成立により終了し、開放していた大入賞口３３ａが閉鎖状態となる。所定の終了条件として、遊技球受入状態の開始後における大入賞口３３ａの開放時間が所定開放時間（本実施例では３０秒）に達したとき、もしくは遊技球受入状態の開始後、大入賞口３３ａに入球した遊技球数が所定数（本実施例では９個）に達したときとすることができる。
【００３８】
この遊技球受入状態の開始から終了までを１ラウンドとした場合、上述の役物連続作動装置は、所定ラウンド数（本実施例では１５ラウンド）が終了したときに作動終了する。大入賞装置３３では、遊技球受入状態が終了してから所定時間（例えば０．５秒）が経過した後に、大入賞口３３ａが開放して再び遊技球受入状態となり、次のラウンドが開始する。このような遊技球受入状態は、所定ラウンドが終了して役物連続作動装置の作動が終了するまで繰り返し継続される。
【００３９】
図２に示すように、大入賞装置３３の左斜め上方には、左入賞口３４、３５がそれぞれ設けられている。これらの内部には、それぞれ左入賞口通過検知スイッチ（図示略）が設けられている。大入賞装置３３の右斜め上方には、右入賞口３６、３７とが設けられている。これらの内部には、右入賞口通過検知スイッチ（図示略）が設けられている。
【００４０】
次に、本実施例の遊技機１の裏面構造について図２に基づいて説明する。図２は遊技機１の裏機構盤１０２の正面図である。
【００４１】
図２に示すように、裏機構盤１０２は中枠３における遊技盤２０の反対面に設けられており、一対のヒンジ１０３により中枠３に開閉可能に取り付けられている。裏機構盤１０２の左上方部には、タンク球切れ検知スイッチ１０４を内側面に備えた賞球タンク１０５が設けられている。賞球タンク１０５には、外部の補給装置から供給される払い出し用の遊技球が貯留されている。賞球タンク１０５の底面は、遊技機１の背面側からみて右下がりに構成されており、賞球タンク１０５の右側下方には、賞球タンク１０５と接続したタンクレール１０６が設けられている。タンクレール１０６は、裏機構盤１０２にネジ止めによって組み付けられるもので、賞球タンク１０５の右下角部から遊技球払出装置１０９の上方まで傾斜して形成されている。
【００４２】
タンクレール１０６の右側には、球抜きレバー１０７が設けられている。球抜きレバー１０７の下流側には、遊技球払出装置１０９が設けられている。また、タンクレール１０６の下流側であって、遊技球払出装置１０９の上方には、タンクレール１０６を流下してきた遊技球の進行方向を変えて遊技球払出装置１０９に誘導するためのケースレール（遊技球誘導通路）１０８が設けられている。
【００４３】
タンクレール１０６の左側であって賞球タンク１０５の下方には、振動モータ１１０が設けられている。振動モータ１１０は、裏機構盤１０２にネジ止めによって組み付けられるもので、タンク球切れ検知スイッチ１０４にて賞球タンク１０５内の遊技球がなくなったことが検知された際に、賞球タンク１０５を振動させ、賞球タンク１０５内に残留している遊技球を賞球タンク１０５から完全に排出させるためのものである。
【００４４】
タンクレール１０６の下方には、前面側に図柄表示装置（図示略）が取り付けられ、背面側に裏ケース１１１が設けられている。裏ケース１１１は、一対のヒンジ１１２により裏機構盤１０２に開閉可能に取り付けられている。裏ケース１１１の内部では、遊技制御に必要となる各種制御基板が収納された基板ケースとして、ランプインタフェース基板、主制御基板ケース、演出制御基板ケース、図柄制御基板ケースが、それぞれ遊技盤２０の裏面に取り付けられている。図柄制御基板ケースは、第１図柄表示装置２４と第２図柄表示装置２５のそれぞれに対応して設けられており、第１図柄表示装置２４とこれに対応する図柄制御基板ケースは別体的に設けられ、第２図柄表示装置２５とこれに対応する図柄制御基板ケースは一体的に設けられている。第２図柄表示装置２５とこれに対応する図柄制御基板ケースについては後述する。
【００４５】
裏ケース１１１の下方には、左側に電源基板ケース１１６が設けられ、右側に払出制御基板１１８が設けられている。さらに裏機構盤１０２の右上方部には、大当たり、発射装置制御、球切れ、扉開放、賞球、貸球用等の遊技機枠用外部接続端子を備えた枠用外部端子基板１２２が設けられている。
【００４６】
次に、本実施例の遊技機１の電子制御装置について、図４に基づいて説明する。図４は、電子制御装置の概略構成を示すブロック図である。
【００４７】
図４に示すように、電子制御装置は、主制御部２００と、その主制御部２００に接続された副制御部２３０、２６０及び２８０とを含んで構成されている。副制御部は、払出制御部２３０、演出制御部２６０及び図柄制御部２８０から構成される。主制御部２００は主制御基板２００ａを備え、副制御部２３０、２６０及び２８０は周辺制御基板として払出制御基板２３０ａ、演出制御基板２６０ａ及び図柄制御基板２８１、２８２をそれぞれ備えている。
【００４８】
主制御部２００は、各副制御部２３０、２６０及び２８０に処理内容を指示する指令信号（コマンドデータ）を送信し、各副制御部２３０、２６０及び２８０は指令信号に基づいて各種制御を行うように構成されている。これら主制御部２００、払出制御部２３０、演出制御部２６０、図柄制御部２８０および発射制御部２５０により、遊技機１の動作が制御される。各制御部２００、２３０、２６０及び２８０には、主電源１２９と接続された電源受電基板１２８から電源基板１２７と電源中継基板１２１とを介して電源が供給されている。
【００４９】
主制御部２００には、盤用外部端子基板２０１、盤面中継基板２１０及び遊技枠中継基板２２０が接続されている。払出制御部２３０には、枠用外部端子基板１２２、スイッチ中継端子基板２３１、ＣＲ接続基板２３４、主制御部２００、発射制御部２５０等が接続されている。スイッチ中継端子基板２３１には、タンク球切れスイッチ２３２、下皿満タンスイッチ２３３が接続されている。タンク球切れスイッチ２３２は、枠用外部端子基板１２２にも接続されている。
【００５０】
次に、図柄制御部２８０を図５に基づいて説明する。図５は、図柄制御部２８０に接続された各種遊技装置を示すブロック図である。本実施例の図柄制御部２８０には、２つの図柄制御基板２８１、２８２が設けられている。これらの図柄制御基板２８１、２８２には、ＣＰＵ、ＲＡＭ、ＲＯＭ、入出力ポート、ＶＤＰ（ビデオディスプレイプロセッサ）等を有する演算回路構成要素（図示略）が設けられ、入出力ポートにおいて音ランプ制御２６０に接続されている。
【００５１】
図５に示すように、第１図柄制御基板２８１には第１図柄表示装置２４が接続され、第２図柄制御基板２８２には第２図柄表示装置２５が接続されている。図柄制御部２８０の各図柄制御基板２８１、２８２は、ＣＰＵがＲＯＭに格納された制御プログラムに従ってＲＡＭをワークエリアとして第１図柄表示装置２４と第２図柄表示装置２５の表示制御を行う。また、第１図柄制御基板２８１のＲＯＭには、普通図柄および特別図柄の画像データ等が格納されており、第２図柄制御基板２８２のＲＯＭには、演出用図柄の画像データ等が格納されている。
【００５２】
次に、第２図柄表示装置２５および第２図柄制御基板２８２と、これらを収納する図柄制御基板ケース４０について図６〜図１０に基づいて説明する。
【００５３】
図６〜図８は、それぞれ第２図柄表示装置２５と第２図柄制御基板２８２と図柄制御基板ケース４０の斜視図である。図６は図柄制御基板ケース４０内に第２図柄表示装置２５と第２図柄制御基板２８２が収納された状態を示し、図７は第２図柄表示装置２５と第２図柄制御基板２８２から図柄制御基板ケース４０が分離された状態を示し、図８は第２図柄表示装置２５を図柄表示面２５ａ側からみた状態を示している。
【００５４】
図６〜図８に示すように、第２図柄表示装置２５と第２図柄制御基板２８２は固定部材５０で固定された上で図柄制御基板ケース４０に収納されている。なお、第２図柄表示装置が本発明の液晶表示装置に相当し、第２図柄制御基板２８２が本発明の制御基板に相当し、図柄制御基板ケース４０が本発明のケースに相当している。
【００５５】
第２図柄表示装置２５は、液晶表示素子と、バックライトと、液晶表示素子とバックライトの駆動基板などを備えている。第２図柄表示装置２５は直方体形状であり、図６、図７の紙面下側が画面表示領域を有する図柄表示面２５ａとなっており、図６、図７の紙面上側が第２図柄制御基板２８２が固定される固定面２５ｂとなっている。第２図柄表示装置２５が遊技盤２０に設置されたときに、図柄表示面２５ａが前面側（遊技者を基準として手前側）に位置し、固定面２５ｂが背面側（遊技者を基準として奥側）に位置する。また、図柄表示面２５ａは遊技盤２０の盤面と同一面に位置する。
【００５６】
第２図柄制御基板２８２は電子部品が搭載された直角形の板状部材であり、第２図柄表示装置２５の図柄表示面２５ａおよび固定面２５ｂと同程度の面積を有している。第２図柄制御基板２８２は、第２図柄表示装置２５の固定面２５ｂ側に固定部材５０を介して固定されている。第２図柄表示装置２５と第２図柄制御基板２８２は、それぞれ対応する位置に図示しないコネクタが設けられており、コネクタを介して互いに接続されている。第２図柄表示装置２５と第２図柄制御基板２８２は、互いに固定された状態で図柄制御基板ケース４０に収納されている。
【００５７】
第２図柄制御基板２８２の四隅には、ネジ５２を挿通可能な取付孔２８２ａが設けられている。第２図柄制御基板２８２は、ネジ５２により固定部材５０に固定される。また、第２図柄制御基板２８２における第２図柄表示装置２５に対向する面の反対側（図７の紙面上側）の面には、外部機器と接続するためのコネクタ２８２ｂが設けられている。
【００５８】
図柄制御基板ケース４０は、透明な樹脂製ケースとして構成されている。図柄制御基板ケース４０は箱形であり、一面が開口した直方体形状となっている。図６と図７では、紙面下側が図柄制御基板ケース４０の開口面となっており、図８では、紙面手前側が図柄制御基板ケース４０の開口面となっている。図柄制御基板ケース４０は、第２図柄表示装置２５と第２図柄制御基板２８２の面積とほぼ同一の開口面積を有している。
【００５９】
第２図柄表示装置２５と第２図柄制御基板２８２が図柄制御基板ケース４０に収納された状態では、第２図柄表示装置２５より第２図柄制御基板２８２の方が図柄制御基板ケース４０の奥側に位置しており、第２図柄表示装置２５における図柄表示面２５ａが図柄制御基板ケース４０を構成する直方体の開口面とほぼ一致している。
【００６０】
図６、図７に示すように、図柄制御基板ケース４０の側面には、第１取付孔４０ａ、第２取付孔４０ｂ、開封孔４０ｃ、切り欠き部４０ｄ、放熱孔４０ｅが設けられている。第１取付孔４０ａと第２取付孔４０ｂは、図柄制御基板ケース４０を固定部材５０に固定するために用いられる。第１取付孔４０ａは固定部材５０に係合し、第２取付孔４０ｂは締める方向のみに回転し緩める方向に回転しないワンウェイネジ５３を用いて固定部材５０にネジ止めされる。なお、第１取付孔４０ａが本発明の係合孔に相当している。
【００６１】
開封孔４０ｃは、第２図柄表示装置２５を第２図柄制御基板２８２を封止した状態の図柄制御基板ケース４０を固定部材５０から分離する際に用いられる。開封孔４０ｃは、第２取付孔４０ｂの周囲に連続的に配置された複数（本実施例では７つ）の貫通孔として構成されている。隣り合う開封孔４０ｃは近接して設けられ、第２取付孔４０ｂの周囲にコの字状に一列に並んで配置されている。図柄制御基板ケース４０と固定部材５０の固定にはワンウェイネジ５３が使用されるので、第２図柄表示装置２５と第２図柄制御基板２８２からの図柄制御基板ケース４０の分離は、隣り合う開封孔４０ｃの間を破断することにより行われる。なお、開封孔４０ｃが本発明の複数の貫通孔に相当している。
【００６２】
切り欠き部４０ｄは、第２図柄表示装置２５と第２図柄制御基板２８２に図柄制御基板ケース４０を取り付ける際の位置決めを容易にするためのものである。切り欠き部４０ｄは、後述する固定部材５０の位置決め部５０ｇに対応して設けられており、図柄制御基板ケース４０の側面において開口面に連通するように形成されている。
【００６３】
放熱孔４０ｅは、第２図柄表示装置２５と第２図柄制御基板２８２で発生した熱を図柄制御基板ケース４０の内部から外部に放出するために設けられている。放熱孔４０ｅは、図柄制御基板ケース４０の側面に設けられた多数の貫通孔として構成されている。なお、開封孔４０ｃも、図柄制御基板ケース４０内部の熱を外部に放出するという放熱孔４０ｅと同様の放熱機能を有する。
【００６４】
図柄制御基板ケース４０における開口面の反対側の面（図６、図７の紙面上側）には、開口部４０ｆが設けられている。この開口部４０ｆは、図柄制御基板２８２のコネクタ２８２ｂに対応する部位に形成されており、開口部４０ｆを介してコネクタ２８２ｂに外部の機器を接続することができる。
【００６５】
次に、固定部材５０を図９に基づいて説明する。図９（ａ）は第２図柄表示装置２５の固定部材５０を取付けた状態を示す平面図であり、図９（ｂ）と図９（ｃ）は図９（ａ）をそれぞれ異なる方向からみた側面図である。
【００６６】
固定部材５０は、１つの部材で第２図柄表示装置２５と第２図柄制御基板２８２と図柄制御基板ケース４０をそれぞれ固定する機能を持っており、樹脂材料から構成されている。固定部材５０は、第２図柄表示装置２５の固定面２５ｂにおける長手方向の両端に１つずつ設けられている。固定部材５０は、第２図柄表示装置２５の固定面２５ｂの短手方向と略同一の長さを有する第１板面５０ａを備えており、第１板面５０ａが第２図柄表示装置２５の固定面２５ｂ上に位置している。第１板面５０ａには、ネジ５１が貫通する貫通孔５０ｂが２つ設けられている。第２図柄表示装置２５の固定面２５ｂにおける固定部材５０の貫通孔５０ｂに対応する部位には図示しないネジ孔が設けられており、ネジ５１により固定部材５０が第２図柄表示装置２５の固定面２５ｂに固定される。
【００６７】
固定部材５０の第１板面５０ａの両端には、柱状の連結部５０ｃがそれぞれ設けられている。つまり、連結部５０ｃは、第２図柄表示装置２５の固定面２５ｂにおける四隅に設けられている。連結部５０ｃは、第２図柄表示装置２５の固定面２５ｂに対して垂直に設けられ、一端側（図６、図７の下端側）が第２図柄表示装置２５に接触し、他端側（図６、図７の上端側）が第２図柄制御基板２８２に接触する。このため、第２図柄表示装置２５と第２図柄制御基板２８２が固定部材５０で固定された際に、第２図柄表示装置２５と第２図柄制御基板２８２の間には連結部５０ｃの長さの分だけ隙間が形成される。この隙間があることにより、放熱効果を有することができる。連結部５０ｃにおける第２図柄制御基板２８２に接触する側の端部にはネジ孔が設けられており、第２図柄制御基板２８２を固定部材５０にネジ止めできるようになっている。連結部５０ｃの間には第２板部５０ｄが設けられている。第２板部５０ｄは、第１板面５０ａに対して直角に設けられている。
【００６８】
固定部材５０の一端側には、第１ケース固定部５０ｅが設けられ、他端側には第２ケース固定部５０ｆが設けられている。第１ケース固定部５０ｅと第２ケース固定部５０ｆは、第２図柄表示装置２５の短手方向の両端に位置しており、これらは第２図柄表示装置２５を図柄制御基板ケース４０に収納する際に図柄制御基板ケース４０に接触する。
【００６９】
第１ケース固定部５０ｅは、図柄制御基板ケース４０の内部に第２図柄表示装置２５と第２図柄制御基板２８２を収納したときに図柄制御基板ケース４０の第１取付孔４０ａに係合する爪部として機能する。第１ケース固定部５０ｅの端部は、第２図柄表示装置２５の側面より外側に突出し、先端が尖った形状の突起部として構成されている。第１ケース固定部５０ｅの先端は、第２図柄表示装置２５の固定面２５ｂから遠い側が傾斜面となっており、図柄制御基板ケース４０に第２図柄表示装置２５と第２図柄制御基板２８２を収納する際にスムーズに収納することができる。なお、第１ケース固定部５０ｅが本発明の突起部に相当している。
【００７０】
第２ケース固定部５０ｆは、柱状に形成され、第１板面５０ａの長手方向と平行に配置されている。第２ケース固定部５０ｆの端部は、第２図柄表示装置２５の側面と同一面に位置している。第２ケース固定部５０ｆの端部には、ネジ孔が設けられており、図柄制御基板ケース４０の第２取付孔４０ｂを介してワンウェイネジ５３が取り付けられる。なお、第２ケース固定部５０ｆが本発明のネジ受け部に相当している。
【００７１】
２つの固定部材５０は、第１ケース固定部５０ｅが設けられた端部と第２ケース固定部５０ｆが設けられた端部が互いに異なる位置となるように、第２図柄表示装置２５の固定面２５ｂに取り付けられる。つまり、一方の固定部材５０で第１ケース固定部５０ｅが位置している側には、他方の固定部材５０で第２ケース固定部５０ｆが位置しており、一方の固定部材５０で第２ケース固定部５０ｆが位置している側には、他方の固定部材５０で第１ケース固定部５０ｅが位置している。
【００７２】
第２板部５０ｄの中央付近には、位置決め部５０ｇが設けられている。位置決め部５０ｇは、第２図柄表示装置２５に対して固定部材５０自身の位置決めを行う機能と、固定部材５０に対して図柄制御基板ケース４０の位置決めを行う機能とを有している。位置決め部５０ｇは、略Ｌ字状の断面を有し、第２図柄表示装置２５の固定面２５ｂから側面に沿って延設されている。固定部材５０を第２図柄表示装置２５の固定面２５ｂ上に配置し、位置決め部５０ｇを第２図柄表示装置２５の側面に当接させることで、第２図柄表示装置２５に対して固定部材５０自身の位置決めを行うことができる。なお、位置決め部５０ｇが本発明の位置決め手段に相当している。
【００７３】
また、位置決め部５０ｇは所定の厚みを有しており、位置決め部５０ｇの厚みの分だけ第２図柄表示装置２５の側面から突出している。位置決め部５０ｇは、図柄制御基板ケース４０の切り欠き部４０ｄに対応して形成されている。固定部材５０の位置決め部５０ｇが図柄制御基板ケース４０の切り欠き部４０ｄの最奥側に位置したときに、図柄制御基板ケース４０が固定部材５０に固定される固定位置に位置する。このため、図柄制御基板ケース４０に第２図柄表示装置２５等を収納する際に、図柄制御基板ケース４０の切り欠き部４０ｄに固定部材５０の位置決め部５０ｇが嵌り込み、図柄制御基板ケース４０を位置決め部５０ｇに沿ってスライドさせることができる。さらに、固定部材５０の位置決め部５０ｇが図柄制御基板ケース４０の切り欠き部４０ｄの最奥側まで移動することで、図柄制御基板ケース４０を固定部材５０に固定される固定位置で停止させることができ、固定部材５０に対して図柄制御基板ケース４０の位置決めを行うことができる。
【００７４】
次に、固定部材５０を用いた第２図柄表示装置２５と第２図柄制御基板２８２と図柄制御基板ケース４０の組み付け手順を図１０に基づいて説明する。図１０（ａ）〜図１０（ｃ）は、第２図柄表示装置２５と第２図柄制御基板２８２と図柄制御基板ケース４０の組み付け工程を示している。
【００７５】
図１０（ａ）に示すように、第２図柄表示装置２５の固定面２８２ｂに固定部材５０を取り付ける。固定部材５０は、第２図柄表示装置２５の固定面２８２ｂの長手方向の両端に１つずつ取り付ける。そして、ネジ５１を用いて固定部材５０を第２図柄表示装置２５の固定面２８２ｂに固定する。
【００７６】
次に、図１０（ｂ）に示すように、固定部材５０の連結部５０ｃに第２図柄制御基板２８２を載せる。このとき、第２図柄制御基板２８２の取付孔２８２ａと固定部材５０の連結部５０ｃの位置を一致させる。そして、ネジ５２を用いて第２図柄制御基板２８２を固定部材５０に固定する。これにより、固定部材５０を介して第２図柄表示装置２５と第２図柄制御基板２８２が固定される。
【００７７】
次に、図１０（ｃ）に示すように、互いに固定された第２図柄表示装置２５と第２図柄制御基板２８２に図柄制御基板ケース４０を被せる。図柄制御基板ケース４０は第２図柄表示装置２５と第２図柄制御基板２８２の積層方向に向かってスライドさせる。このとき、図柄制御基板ケース４０の切り欠き部４０ｄに固定部材５０の位置決め部５０ｇが嵌り込み、図柄制御基板ケース４０の切り欠き部４０ｄが固定部材５０の位置決め部５０ｇに案内される。そして、図柄制御基板ケース４０は、位置決め部５０ｇが切り欠き部４０ｄの最奥側に到達した位置（図柄制御基板ケース４０を固定部材５０に固定する固定位置）で停止して保持される。これにより、固定部材５０に対する図柄制御基板ケース４０の位置決めを容易に行うことができる。
【００７８】
図柄制御基板ケース４０内に第２図柄表示装置２５と第２図柄制御基板２８２を完全に収納したときに、図柄制御基板ケース４０の第１取付孔４０ａに固定部材５０の第１ケース固定部５０ｅが係合する。これにより、図柄制御基板ケース４０が固定部材５０に仮固定される。また、２つの固定部材５０は、第１ケース固定部５０ｅが反対側に設けられているので、図柄制御基板ケース４０における対向する面のそれぞれに設けられた第１取付孔４０ａに固定部材５０の第１ケース固定部５０ｅが係合することとなる。これにより、図柄制御基板ケース４０の対向する面のそれぞれが仮固定される。そして、ワンウェイネジ５３により、図柄制御基板ケース４０を固定部材５０に固定する。これにより、固定部材５０を介して第２図柄表示装置２５と第２図柄制御基板２８２と図柄制御基板ケース４０が固定され封止される。
【００７９】
次に、第２図柄表示装置２５と第２図柄制御基板２８２からの図柄制御基板ケース４０の取り外し方について説明する。上述のように、図柄制御基板ケース４０はワンウェイネジ５３により固定部材５０に固定されているため、ワンウェイネジ５３を緩めて図柄制御基板ケース４０を取り外すことができない。このため、図柄制御基板ケース４０の複数の開封孔４０ｃを切断し、隣り合う開封孔４０ｃを連通させることで、第２図柄表示装置２５と第２図柄制御基板２８２から図柄制御基板ケース４０を取り外す。
【００８０】
以上の構成により、１つの固定部材５０で第２図柄表示装置２５と第２図柄制御基板２８２と図柄制御基板ケース４０を固定することができ、簡易な構成で第２図柄表示装置２５と第２図柄制御基板２８２を一体化して図柄制御基板ケース４０に収納することができる。
【００８１】
また、固定部材５０に位置決め部５０ｇを設け、図柄制御基板ケース４０に位置決め部５０ｇに対応する切り欠き部４０ｄを設けることで、第２図柄表示装置２５等に図柄制御基板ケース４０を組み付ける際に、図柄制御基板ケース４０が位置決め部５０ｇに案内され、固定部材５０に固定する位置で停止する。これにより、固定部材５０に対する図柄制御基板ケース４０の位置決めを容易に行うことができ、図柄制御基板ケース４０の組み付け作業を容易に行うことができる。
【００８２】
また、第２図柄表示装置２５等に図柄制御基板ケース４０を組み付けた状態では、固定部材５０の第１ケース固定部５０ｅにより図柄制御基板ケース４０の第１取付孔４０ａが係合されるので、図柄制御基板ケース４０が仮固定される。これにより、第２図柄表示装置２５等に図柄制御基板ケース４０を組み付ける際の作業性を向上させることができる。
【００８３】
また、図柄制御基板ケース４０の側面をワンウェイネジ５３により固定部材５０に固定することで、第２図柄表示装置２５と第２図柄制御基板２８２と図柄制御基板ケース４０を固定するための固定部材５０を用いて簡易に封止構造を提供することができる。さらに、図柄制御基板ケース４０の側面におけるワンウェイネジ５３で固定された部位の周囲に設けられた開封孔４０ｃを連通させることで、簡易な構成で開封構造を提供できる。
【００８４】
（第２実施例）
次に、本発明の第２実施例について説明する。本第２実施例では、上記第１実施例と比較して、図柄制御基板ケース４０の構成が異なっている。上記第１実施例と同様の部分については説明を省略する。
【００８５】
図１１は、本第２実施例の第２図柄表示装置２５を図柄表示面２５ａ側からみた状態を示す斜視図である。図１１に示すように、本第２実施例の開封孔４０ｃは円形の貫通孔として構成され、第２取付孔４０ｂの周囲に連続的に複数（本実施例では１１つ）配置されている。隣り合う開封孔４０ｃは近接して設けられ、第２取付孔４０ｂの周囲にＵ字状に一列に並んで配置されている。
【００８６】
以上のような構成によっても、上記第１実施例と同様、簡易な構成で開封構造を提供できる。また、上記第１実施例の開封孔４０ｃの構成では、ニッパ等の工具を用いて開封する際に、工具の先端が開封孔４０ｃに入りにくく、正規に開封する必要が生じた場合にも開封しにくい。これに対し、本第２実施例のように開封孔４０ｃを円形の貫通孔として構成することで、工具の先端が開封孔４０ｃに入りやすくなり、容易に開封作業を行うことができる。さらに、本第２実施例の開封孔４０ｃの構成によれば、図柄制御基板ケース４０の内部で発生した熱を効率よく外部に放出することができる。
【００８７】
（他の実施形態）
なお、上記実施例では、本発明をパチンコ遊技機に適用した例について説明したが、これに限らず、本発明は液晶表示装置を備える遊技機であれば適用可能であり、例えばアレンジボール遊技機（組合せ式遊技機）等の他の種類の遊技機にも適用可能である。
【図面の簡単な説明】
【００８８】
【図１】本発明の実施例の遊技機を示す正面図である。
【図２】遊技盤の概略構成を示す正面図である。
【図３】遊技機の裏機構盤の正面図である。
【図４】電子制御装置の構成を示すブロック図である。
【図５】図柄制御基板に接続される各種遊技装置を示すブロック図である。
【図６】図柄制御基板ケース内に第２図柄表示装置と第２図柄制御基板を収納した状態を示す斜視図である。
【図７】第２図柄表示装置と第２図柄制御基板から図柄制御基板ケースを分離した状態を示す斜視図である。
【図８】図柄制御基板ケース内に第２図柄表示装置と第２図柄制御基板を収納した状態を、第２図柄表示装置の図柄表示面側からみた斜視図である。
【図９】（ａ）は第２図柄表示装置の固定部材を取付けた状態を示す平面図であり、（ｂ）と（ｃ）は（ａ）をそれぞれ異なる方向からみた側面図である。
【図１０】（ａ）〜（ｃ）は、第２図柄表示装置と第２図柄制御基板と図柄制御基板ケースの組み付け工程を示す工程図である。
【図１１】第２実施例の第２図柄表示装置を図柄表示面側からみた状態を示す斜視図である。
【符号の説明】
【００８９】
１…遊技機、２０…遊技盤、２４…第１図柄表示装置、２５…第２図柄表示装置、４０…図柄制御基板ケース、４０ａ…第１取付孔（係合孔）、４０ｂ…第２取付孔、４０ｃ…開封孔、４０ｄ…切り欠き部、５０…固定部材、５０ａ…第１板面、５０ｅ…第１ケース固定部（突起部）、５０ｇ…位置決め部（位置決め手段）、２００…主制御部、２３０…払出制御部、２５０…発射制御部、２６０…演出制御部、２８０…図柄制御部、２８２…第２図柄制御基板。
【図１】
2008000311.tif 000003
【図２】
2008000311.tif 000004
【図３】
2008000311.tif 000005
【図４】
2008000311.tif 000006
【図５】
2008000311.tif 000007
【図６】
2008000311.tif 000008
【図７】
2008000311.tif 000009
【図８】
2008000311.tif 000010
【図９】
2008000311.tif 000011
【図１０】
2008000311.tif 000012
【図１１】
2008000311.tif 000013